(57)【特許請求の範囲】
【請求項１】
パネルを取り付けるパネル取付フレームのパネル取付面と向き合うパネル本体と、このパネル本体の両側部に形成され、パネル取付面に押し当てられる取付基部とを備え、各取付基部に掛止部を形成し、該掛止部をパネル取付面の背面側に形成したパネル固定具装着面に押し当てられるパネル固定具の本体部分からパネル取付フレームを貫通して延びるアームに設けられた係止爪によって掛け止めるようにしたパネルにおいて、各取付基部には、該取付基部に突き合わされる別体のパネルの取付基部に設けられた先端側が上向きの係止凸部又は奥側が上向きの係止凹部と係合する奥側が上向きの係止凹部又は先端側が上向きの係止凸部が形成されるとともに、該取付基部に突き合わされる別体のパネルの取付基部に設けられた嵌合凹部又は嵌合凸部と嵌合する嵌合凸部又は嵌合凹部が形成されてなることを特徴とするパネル。
【請求項２】
パネルを取り付けるパネル取付フレームのパネル取付面と向き合うパネル本体の両側部に設けられた取付基部のそれぞれに掛止部が形成されてなる複数のパネルの取付基部同士を突き合わせ、この突き合わせ部をパネル取付面に固定するパネル固定具を用いてそれらパネルをパネル取付フレームに取り付けるパネル取付構造であって、パネル固定具は、パネル取付面の背面側に形成したパネル固定具装着面に押し当てられるパネル固定具本体と、このパネル固定具本体からパネル取付フレームを貫通して延び、互いに突き合わされた取付基部を挟持する一対のアームと、これらアームのそれぞれに形成され、各取付基部に設けられた掛止部に係合する係止爪とを備え、パネル固定具本体には、一対のアームの中間位置においてアーム先端側に開放された溝が形成され、パネル取付フレームに一対のアームを貫通させるために一対のアームに対応させてパネル取付フレームに形成された一対の挿通孔の間のパネル取付フレーム部分には、パネル固定具本体における溝と係合可能な第１係合部と、パネル固定具本体における溝の両側のパネル固定具本体部分と係合可能な第２係合部とが形成され、パネル固定具本体における溝と第１係合部とを係合させる第１係合状態と、パネル固定具本体における溝の両側のパネル固定具本体部分と第２係合部とを係合させる第２係合状態とを切換可能とされてなることを特徴とするパネル取付構造。
【請求項３】
取付基部同士が突き合わされる突き合わせ部にはそれら取付基部を連結する連結手段が設けられ、この連結手段は、一方の取付基部に形成される一側の係止凹部又は係止凸部と、他方の取付基部に形成され、一側の係止凹部又は係止凸部に係合する他側の係止凸部又は係止凹部とよりなることを特徴とする請求項２記載のパネル取付構造。
【請求項４】
取付基部同士が突き合わされる突き合わせ部にはそれら取付基部間をシールするシール手段が設けられ、このシール手段は、一方の取付基部に形成される一側の嵌合凸部又は嵌合凹部と、他方の取付基部に形成され、一側の嵌合凸部又は嵌合凹部に嵌合する他側の嵌合凹部又は嵌合凸部とよりなることを特徴とする請求項２又は３記載のパネル取付構造。
【請求項５】
パネル固定具本体には、人の手指で摘むことのできる摘み部が形成されてなることを特徴とする請求項２、３又は４記載のパネル取付構造。
【請求項６】
請求項２、３、４又は５記載のパネル取付構造を備えたことを特徴とする冷却塔。
【発明の詳細な説明】
【技術分野】
【０００１】
本発明は、例えば、冷却塔の外装壁を構築するのに用いられて好適なパネル、パネル固定具及びパネル取付構造、並びに該パネル取付構造を備えた冷却塔に関するものである。
【背景技術】
【０００２】
工場設備やビル等の空調設備から送出される温水を冷却する冷却塔として、例えば、温水と冷却用気流との流れ方向が直交する直交流方式の冷却塔が広く実用に供されている。
【０００３】
従来、この種の冷却塔の外装壁構造として、図９（ａ）（ｂ）に示すように、上下に延びる短冊形状のパネル１００を複数枚連設しているものがある。
また、その他の外装壁構造として、図１０（ａ）（ｂ）に示すように、断面波形状のパネル１５０を複数枚張り合わせるものが知られている（例えば、特許文献１参照）。
【０００４】
図９（ａ）（ｂ）に示す冷却塔外装壁構造において、各パネル１００は、冷却塔の骨組を構成する図示されない支柱間に横架される所要のパネル取付フレーム１０１によって支持されている。
パネル取付フレーム１０１には、パネル取付面１０２と平行を成す舌状の係止部１０３を有する所要の係止折曲部材１０４が設けられている。
各パネル１００は、パネル取付フレーム１０１のパネル取付面１０２と向き合うパネル本体１０５を備え、パネル本体１０５の図において右側部には取付基部１０６が形成される一方、パネル本体１０５の図において左側部には別体のパネル１００′に設けられた係止凹部と係合する係止突条部１０７が形成されている。
取付基部１０６には、パネル取付フレーム１０１に設けられた係止折曲部材１０４の係止部１０３によって掛け止められる掛止部１０８が形成されるとともに、別体のパネル１００″における係止突条部と係合する係止凹部１０９が形成されている。
そして、この冷却塔外装壁構造においては、パネル取付面１０２と係止部１０３との間への掛止部１０８の差込みとともに、隣接するパネル間の係止凹部１０９と係止突条部１０７との嵌合によって、各パネル１００がパネル取付フレーム１０１に取り付けられるようになっている。
【０００５】
ところで、図９（ａ）（ｂ）に示す冷却塔外装壁構造においては、パネル取付面１０２と係止部１０３との間の隙間寸法と、掛止部１０８の厚み寸法との差分が小さすぎると、パネル取付作業が困難になることから、パネル取付面１０２と係止部１０３との間で掛止部１０８がある程度動き得る遊びが設けられている。
【０００６】
このため、図９（ａ）（ｂ）に示す冷却塔外装壁構造では、機器等の振動や風の影響などによってパネル１００が振動し、パネル取付フレーム１０１に対しパネル１００が触れたり離れたりして異音（所謂「ビビリ音」）が発生するという問題があった。
【０００７】
一方、図１０（ａ）（ｂ）に示す冷却塔外装壁構造において、各パネル１５０は、冷却塔の骨組を構成する図示されない支柱、梁等によって支持されている。
各パネル１５０において、一方の端部には突条１５１が形成されており、他方の端部には別体のパネル１５０′の突条と嵌合可能な凹部を有する略Ｕ字状部１５２が形成されている。
そして、この冷却塔外装壁構造においては、各パネル１５０の端部同士を順次嵌合させて張り合わせることにより、冷却塔外装壁が構築されるようになっている。
【０００８】
ところで、図１０（ａ）（ｂ）に示す冷却塔外装壁構造においては、冷却塔の骨組を構成する支柱、梁等にパネル１５０を固定する固定手段として、多数のフックボルト１５３をパネル１５０の谷部を貫通させて冷却塔の骨組を構成する支柱、梁等に係止するといった固定手段が採用されている。
【０００９】
このため、図１０（ａ）（ｂ）に示す冷却塔外装壁構造では、パネル取付作業に際して、多数のフックボルト１５３の締付操作を行わなければならず、パネル取付作業に多大な時間を要するという問題があった。
【特許文献１】特開平１１−１５２８４９号公報
【発明の開示】
【発明が解決しようとする課題】
【００１０】
本発明は、上記従来技術の有する問題点に鑑み、パネル取付作業を容易かつ短時間で行うことができるとともに、ビビリ音の発生を防止することのできるパネル、パネル取付構造及び該パネル取付構造を備えた冷却塔を提供することを目的とする。
【課題を解決するための手段】
【００１１】
上記目的を達成するため、本発明のパネルは、パネルを取り付けるパネル取付フレームのパネル取付面と向き合うパネル本体と、このパネル本体の両側部に形成され、パネル取付面に押し当てられる取付基部とを備え、各取付基部に掛止部を形成し、該掛止部をパネル取付面の背面側に形成したパネル固定具装着面に押し当てられるパネル固定具の本体部分からパネル取付フレームを貫通して延びるアームに設けられた係止爪によって掛け止めるようにしたパネルにおいて、各取付基部には、該取付基部に突き合わされる別体のパネルの取付基部に設けられた先端側が上向きの係止凸部又は奥側が上向きの係止凹部と係合する奥側が上向きの係止凹部又は先端側が上向きの係止凸部が形成されるとともに、該取付基部に突き合わされる別体のパネルの取付基部に設けられた嵌合凹部又は嵌合凸部と嵌合する嵌合凸部又は嵌合凹部が形成されてなることを特徴とする（第１発明）。
【００１２】
次に、上記目的を達成するため、本発明のパネル取付構造は、パネルを取り付けるパネル取付フレームのパネル取付面と向き合うパネル本体の両側部に設けられた取付基部のそれぞれに掛止部が形成されてなる複数のパネルの取付基部同士を突き合わせ、この突き合わせ部をパネル取付面に固定するパネル固定具を用いてそれらパネルをパネル取付フレームに取り付けるパネル取付構造であって、パネル固定具は、パネル取付面の背面側に形成したパネル固定具装着面に押し当てられるパネル固定具本体と、このパネル固定具本体からパネル取付フレームを貫通して延び、互いに突き合わされた取付基部を挟持する一対のアームと、これらアームのそれぞれに形成され、各取付基部に設けられた掛止部に係合する係止爪とを備え、パネル固定具本体には、一対のアームの中間位置においてアーム先端側に開放された溝が形成され、パネル取付フレームに一対のアームを貫通させるために一対のアームに対応させてパネル取付フレームに形成された一対の挿通孔の間のパネル取付フレーム部分には、パネル固定具本体における溝と係合可能な第１係合部と、パネル固定具本体における溝の両側のパネル固定具本体部分と係合可能な第２係合部とが形成され、パネル固定具本体における溝と第１係合部とを係合させる第１係合状態と、パネル固定具本体における溝の両側のパネル固定具本体部分と第２係合部とを係合させる第２係合状態とを切換可能とされてなることを特徴とする（第２発明）。
【００１３】
この場合において、取付基部同士が突き合わされる突き合わせ部にはそれら取付基部を連結する連結手段が設けられ、この連結手段は、一方の取付基部に形成される一側の係止凹部又は係止凸部と、他方の取付基部に形成され、一側の係止凹部又は係止凸部に係合する他側の係止凸部又は係止凹部とよりなるものとすることができる（第３発明）。
【００１４】
また、取付基部同士が突き合わされる突き合わせ部にはそれら取付基部間をシールするシール手段が設けられ、このシール手段は、一方の取付基部に形成される一側の嵌合凸部又は嵌合凹部と、他方の取付基部に形成され、一側の嵌合凸部又は嵌合凹部に嵌合する他側の嵌合凹部又は嵌合凸部とよりなるものとすることができる（第４発明）。
【００１５】
また、パネル固定具本体には、人の手指で摘むことのできる摘み部が形成されているものとすることができる（第５発明）。
【００１６】
次に、上記目的を達成するため、本発明の冷却塔は、第２発明、第３発明、第４発明又は第５発明のパネル取付構造を備えたことを特徴とする（第６発明）。
【発明の効果】
【００１７】
本発明のパネル及びパネル取付構造によれば、パネルの取付基部に形成された掛止部がパネル固定具のアームに形成された係止爪によって掛け止められると、該取付基部がパネル取付フレームのパネル取付面に押し当てられた状態で固定されるので、機器等の振動や風の影響等によるパネルの振動を抑えることができ、ビビリ音の発生を防止することができる。
また、取付基部の掛止部にパネル固定具の係止爪を掛け止めるといった極めて簡易な操作によって、取付基部がパネル取付面に固定されるので、パネル取付作業を容易かつ短時間で行うことができる。
【００１８】
また、各取付基部には、該取付基部に突き合わされる別体のパネルの取付基部に設けられた先端側が上向きの係止凸部又は奥側が上向きの係止凹部と係合する奥側が上向きの係止凹部又は先端側が上向きの係止凸部が形成されているものとすることにより、取付基部同士が突き合わされる突き合わせ部にそれら取付基部を連結する連結手段を構成することができ、この連結手段により、互いに隣接するパネル間をより強固に連結することができる。
【００１９】
また、各取付基部には、該取付基部に突き合わされる別体のパネルの取付基部に設けられた嵌合凹部又は嵌合凸部と嵌合する嵌合凸部又は嵌合凹部が形成されているものとすることにより、取付基部同士が突き合わされる突き合わせ部にそれら取付基部間をシールするシール手段を構成することができ、このシール手段により、例えば、冷却塔の外装壁を構成するパネルに適用された態様例では、冷却塔内の水がパネル間から冷却塔外へ漏洩するのを確実に防ぐことができる。
【００２０】
ここで、パネル固定具本体には、一対のアームの中間位置においてアーム先端側に開放された溝が形成されているものとし、パネル取付フレームに一対のアームを貫通させるために一対のアームに対応させてパネル取付フレームに形成された一対の挿通孔の間のパネル取付フレーム部分には、パネル固定具本体における溝と係合可能な第１係合部と、パネル固定具本体における溝の両側のパネル固定具本体部分と係合可能な第２係合部とが形成されているものとし、パネル固定具本体における溝と第１係合部とを係合させる第１係合状態と、パネル固定具本体における溝の両側のパネル固定具本体部分と第２係合部とを係合させる第２係合状態とを切換可能とされているものとすることにより、パネル固定具本体における溝と第１係合部とを係合させる第１係合状態とすることで、各掛止部からパネル固定具押込方向にパネル取付フレームの板厚寸法に相当する距離だけ離れた位置に各係止爪を配することができ、その後、パネル固定具本体における溝の両側のパネル固定具本体部分と第２係合部とを係合させる第２係合状態とすることで、各係止爪を各掛止部に確実に掛け止めることができる。
【００２１】
また、パネル固定具本体には、人の手指で摘むことのできる摘み部が形成されているものとすることにより、パネル固定具の装着操作や、第１係合状態と第２係合状態との切換操作などをより容易に行うことができる。
【００２２】
次に、本発明の冷却塔によれば、本発明のパネル取付構造を備える構成とされているので、外装壁を容易かつ短時間で構築することができるとともに、機器等の振動や風の影響等による外装壁の振動を抑えてビビリ音の発生を防止することができる。
【発明を実施するための最良の形態】
【００２３】
以下、本発明のパネル、パネル取付構造及び冷却塔の実施の形態を、図面に基づいて説明する。
【実施例】
【００２４】
図１〜図８に、本発明のパネル、パネル取付構造及び冷却塔の一実施例を示す。
図１に示す冷却塔１は、工場設備やビル等の空調設備から送出される温水を冷却する直交流方式の冷却塔であり、この冷却塔１においては、塔内の中央部に通風空間２が設けられ、塔上に送風機３が設置され、送風機３の作動にて側方のルーバ４から通風空間２を経て送風機３の直上に至る空気の流れが生じ、この気流によってルーバ４の内側に設置された充填材５を流下する温水が冷却されるようになっている。
【００２５】
この冷却塔１の外装壁１０は、上下に延びる短冊形状のパネル１１が複数枚連設されて構成されており、冷却塔１の骨組を構成する図示されない支柱間に横架される所要のパネル取付フレーム１２に各パネル１１が支持されている。
【００２６】
パネル取付フレーム１２は、山形鋼よりなり、一方の辺部の表面１３及び裏面１４がそれぞれ上方及び下方に向けられている。
また、パネル取付フレーム１２の他方の辺部において、その表面はパネル取付面１５とされて冷却塔１の外側に向けられ、その裏面はパネル固定具装着面１６とされて冷却塔１の内側に向けられている。
【００２７】
各パネル１１は、樹脂製で、図２（ａ）に示すように、パネル取付フレーム１２のパネル取付面１５と向き合うパネル本体２０を備えている。
パネル本体２０は、その断面形状が冷却塔１の外側に膨出する湾曲形状とされており、このパネル本体２０の両側部には、パネル取付面１５に押し当てられる取付基部２１が形成されている。
【００２８】
図３に示すように、各取付基部２１には、パネル１１の幅方向内向きに張り出され、パネル１１の一端と他端の間の全長方向に延設される掛止部２２が形成されている。
各掛止部２２における張出し方向先端部には、パネル取付面１５から離れる方向に突出される突条部２３がパネル全長方向の全域に亘って形成されている。
この突条部２３はパネル１１を補強するリブとして機能し、この突条部２３によってパネル変形を抑えることができ、パネル１１のパネル取付フレーム１２への適正な取付状態の保持に貢献する。
【００２９】
各パネル１１の図３において右側の取付基部２１には、該取付基部２１に突き合わされる別体のパネル１１の取付基部２１に設けられた先端側が上向きの係止凸部２６と係合する奧側が上向きの係止凹部２４が形成されるとともに、該取付基部２１に突き合わされる別体のパネル１１の取付基部２１に設けられた嵌合凹部２７と嵌合する嵌合凸部２５が形成されている。
各パネル１１の図３において左側の取付基部２１には、該取付基部２１に突き合わされる別体のパネル１１の取付基部２１に設けられた係止凹部２４と係合する係止凸部２６が形成されるとともに、該取付基部２１に突き合わされる別体のパネル１１の取付基部２１に設けられた嵌合凸部２５と嵌合する嵌合凹部２７が形成されている。
【００３０】
図２（ａ）に示すように、互いに隣接するパネル１１，１１の一方のパネル１１における取付基部２１と他方のパネル１１における取付基部２１とが突き合わされた突き合わせ部３０をパネル取付フレーム１２のパネル取付面１５に固定するために、パネル固定具３１がパネル取付フレーム１２の一部をパネル１１の掛止部２２と共に挟み込むようにして該突き合わせ部３０に装着されている。
【００３１】
パネル固定具３１は、樹脂製で、図４に示すように、パネル固定具装着面１６に押し当てられるパネル固定具本体３２と、このパネル固定具本体３２からパネル取付フレーム１２を貫通して延び、互いに突き合わされた取付基部２１，２１を挟持する一対のアーム３３，３３とを備えている。
【００３２】
パネル固定具３１のパネル固定具本体３２には、一対のアーム３３，３３の間の真中位置においてアーム先端側に開放された溝３４がパネル全長方向に延びるように形成されている。
また、パネル固定具本体３２には、人の手指で摘むことのできる摘み部３５が形成されている。
【００３３】
パネル固定具３１の一対のアーム３３，３３の先端部の対向面には、内向きに突出する係止爪３６を形成し、互いに隣接するパネル１１，１１の各取付基部２１に設けられた掛止部２２に係合するようにしている。
各係止爪３６において、パネル固定具押込時に最初に掛止部２２に接触される部位には、アーム先端側に進むにつれて外向きに広がるような傾斜が付された傾斜面３７が設けられている。
【００３４】
図２（ｂ）に示すように、パネル取付フレーム１２には、一対のアーム３３，３３を貫通させるために、一対のアーム３３，３３に対応させて一対の挿通孔４０，４０が形成されている。
これら挿通孔４０，４０の間のパネル取付フレーム部分には、パネル固定具本体３２における溝３４と係合可能な第１係合部４１と、パネル固定具本体３２における溝３４の両側のパネル固定具本体部分と係合可能な第２係合部４２とが形成されている。
第１係合部４１と第２係合部４２は、パネル１１の全長方向、つまり図２（ｂ）において上下方向に連設されており、第１係合部４１が上段に、第２係合部４２が下段にそれぞれ配されている。
【００３５】
次に、パネル取付作業について、図５〜図８を用いて以下に説明することとする。
なお、以下に述べるパネル取付作業の説明において、説明の都合上、パネル取付フレーム１２に先に取り付けられているパネルを「先のパネル１１′」と称し、パネル取付フレーム１２にこれから取り付けようとするパネルを「後のパネル１１」と称することとする。
【００３６】
まず、図５（ａ）に示すように、先のパネル１１′の右側の取付基部２１における係止凹部２４に対し、後のパネル１１の左側の取付基部２１における係止凸部２６を位置決めし、位置決め完了後、係止凹部２４に係止凸部２６を押し込むとともに、後のパネル１１の両側の取付基部２１をパネル取付面１５に押し当てる。
これにより、図５（ｂ）に示すように、先のパネル１１′の右側の取付基部２１と後のパネル１１の左側の取付基部２１とが、パネル取付フレーム１２における一対の挿通孔４０，４０に対応する位置で互いに突き合わされ、この突き合わせ部３０において、係止凹部２４と係止凸部２６との係合による連結手段４５が構成されるとともに、嵌合凸部２５と嵌合凹部２７との嵌合によるシール手段４６が構成される。
【００３７】
次いで、図６（ａ）に示すように、摘み部３５を手指で摘んでパネル固定具３１を一対の挿通孔４０，４０の近傍にまで持ち運び、第１係合部４１と溝３４とが向き合うようにパネル取付フレーム１２に対しパネル固定具３１を位置決めする。
位置決め完了後、一対の挿通孔４０，４０に一対のアーム３３，３３を挿入するようにしてパネル固定具３１を押し込んでいく。
すると、図６（ｂ）に示すように、最初に、各係止爪３６の傾斜面３７が各掛止部２２に接触する。
【００３８】
パネル固定具３１を更に押し込んでいくと、各係止爪３６の傾斜面３７と各掛止部２２との間でのくさび作用により、図７（ａ）に示すように、一対のアーム３３，３３が拡開される。
引き続きパネル固定具３１を押し込んで溝３４と第１係合部４１とを係合させる第１係合状態としたときには、図７（ｂ）に示すように、一対のアーム３３，３３が弾性復元力によって拡開前の元の形状となっており、また、各掛止部２２の突条部２３からパネル固定具押込方向にパネル取付フレーム１２の板厚寸法に相当する距離だけ離れた位置に各係止爪３６が配されることになる。
【００３９】
一旦、第１係合状態とされた後に、パネル固定具３１を引き戻すと、図８（ａ）に示すように、各掛止部２２の突条部２３と各係止爪３６とが衝合され、これにより各掛止部２２に各係止爪３６が確実に掛け止められる。
【００４０】
次いで、パネル固定具３１を下方に移動させ、図８（ｂ）に示すように、溝３４の両側のパネル固定具本体部分と第２係合部４２とを係合させる第２係合状態とする。
これにより、先のパネル１１′の右側の取付基部２１と後のパネル１１の左側の取付基部２１とが突き合わされた突き合わせ部３０がパネル取付面１５に押し当てられた状態で固定される。
【００４１】
以上に述べた一連の作業を繰り返すことにより、複数のパネル１１が順次にパネル取付フレーム１２に取り付けられ、冷却塔１の外装壁１０が構築される。
【００４２】
本実施例によれば、以下のような作用効果を奏する。
（１）パネル１１の取付基部２１に形成された掛止部２２がパネル固定具３１のアーム３３に形成された係止爪３６によって掛け止められると、該取付基部２１がパネル取付フレーム１２のパネル取付面１５に押し当てられた状態で固定されるので、機器等の振動や風の影響等によるパネル１１の振動を抑えることができ、ビビリ音の発生を防止することができる。
（２）取付基部２１の掛止部２２にパネル固定具３１の係止爪３６を掛け止めるといった極めて簡易な操作によって、取付基部２１がパネル取付面１５に固定されるので、パネル取付作業を容易かつ短時間で行うことができる。
（３）各取付基部２１には、該取付基部２１に突き合わされる別体のパネル１１の取付基部２１に設けられた係止凸部２６又は係止凹部２４と係合する係止凹部２４又は係止凸部２６が形成されているので、取付基部２１同士が突き合わされる突き合わせ部３０にそれら取付基部２１を連結する連結手段４５を構成することができ、この連結手段４５により、互いに隣接するパネル１１間をより強固に連結することができる。
（４）各取付基部２１には、該取付基部２１に突き合わされる別体のパネル１１の取付基部２１に設けられた嵌合凹部２７又は嵌合凸部２５と嵌合する嵌合凸部２５又は嵌合凹部２７が形成されているので、取付基部２１同士が突き合わされる突き合わせ部３０にそれら取付基部２１間をシールするシール手段４６を構成することができ、このシール手段４６により、冷却塔１内の水がパネル１１間から冷却塔１外へ漏洩するのを確実に防ぐことができる。
（５）パネル固定具本体３２における溝３４と第１係合部４１とを係合させる第１係合状態とすることで、各掛止部２２の突条部２３からパネル固定具押込方向にパネル取付フレーム１２の板厚寸法に相当する距離だけ離れた位置に各係止爪３６を配することができ、その後、パネル固定具本体３２における溝３４の両側のパネル固定具本体部分と第２係合部４２とを係合させる第２係合状態とすることで、各係止爪３６を各掛止部２２に確実に掛け止めることができる。
（６）パネル固定具本体３２には、人の手指で摘むことのできる摘み部３５が形成されているので、パネル固定具３１の装着操作や、第１係合状態と第２係合状態との切換操作などをより容易に行うことができる。
（７）外装壁１０を容易かつ短時間で構築することができるとともに、機器等の振動や風の影響等による外装壁１０の振動を抑えてビビリ音の発生を防止することができる。
【００４３】
以上、本発明のパネル、パネル取付構造及び冷却塔について、実施例に基づいて説明したが、本発明は上記実施例に記載した構成に限定されるものではなく、例えば、パネル１１やパネル固定具３１をＦＲＰやアルミニウム、鉄系材料等の金属材料で構成する等、その趣旨を逸脱しない範囲において適宜その構成を変更することができるものである。
【産業上の利用可能性】
【００４４】
本発明のパネル、パネル取付構造は、パネル取付作業を容易かつ短時間で行うことができるとともに、ビビリ音の発生を防止することができるという特性を有していることから、冷却塔の外装壁の構築の用途に好適に用いることができるほか、例えば、組立家屋や物置等の外装壁の構築の用途にも用いることができる。
【図面の簡単な説明】
【００４５】
【図１】本発明の冷却塔の一実施例を示す斜視図である。
【図２】パネル取付構造を示し、（ａ）は要部平面断面図で、（ｂ）は（ａ）のＰ矢視図である。
【図３】パネルの構造説明図である。
【図４】図２のＡ部拡大図である。
【図５】パネル取付作業説明図（１）である。
【図６】パネル取付作業説明図（２）である。
【図７】パネル取付作業説明図（３）である。
【図８】パネル取付作業説明図（４）である。
【図９】従来技術の説明図（１）である。
【図１０】従来技術の説明図（２）である。
【符号の説明】
【００４６】
１      冷却塔
１０    外装壁
１１    パネル
１２    パネル取付フレーム
１５    パネル取付面
１６    パネル固定具装着面
２０    パネル本体
２１    取付基部
２２    掛止部
２４    係止凹部
２５    嵌合凸部
２６    係止凸部
２７    嵌合凹部
３０    突き合わせ部
３１    パネル固定具
３２    パネル固定具本体
３３    アーム
３４    溝
３５    摘み部
３６    係止爪
４０    挿通孔
４１    第１係合部
４２    第２係合部
４５    連結手段
４６    シール手段
【図１】
0004464426.tif 000002
【図２】
0004464426.tif 000003
【図３】
0004464426.tif 000004
【図４】
0004464426.tif 000005
【図５】
0004464426.tif 000006
【図６】
0004464426.tif 000007
【図７】
0004464426.tif 000008
【図８】
0004464426.tif 000009
【図９】
0004464426.tif 000010
【図１０】
0004464426.tif 000011